(57)【要約】【課題】無目を有さずガラスの自重を方立に固定したガラス受け部材を介して支持させるようにしたカーテンウォール構造において、層間変位時にガラスの破損を防止するとともに、上下方向に隣接するガラス間の目地幅を方立、ガラスの温度ムーブメントを考慮した最小寸法とし、かつ方立の見付け幅寸法を小さくする。【解決手段】ガラスＧの下端側隅部にそれぞれ、室内側に延在する掛止フック８Ｂを有する支持金具８を固定するとともに、前記方立２側においてガラス面よりも室内側位置に前記掛止フック８Ｂが掛止される自重受け部材５を固定し、ガラスＧに固定した前記支持金具８の掛止フック８Ｂを、方立２に固定した前記自重受け部材５に掛止させるようにしながら各ガラスＧ、Ｇ…を設置し、上下に隣接するガラスＧ、Ｇの間隙部には支持金具が存在しない構造とする。【選択図】  図２
2005002694.tif 000002
【特許請求の範囲】
【請求項１】
無目を有さずガラス自重を方立に固定した自重受け部材を介して支持させるようにしたカーテンウォール構造において、
前記自重受け部材を、層間変位時にガラス上端部が衝突しない位置に固定するとともに、前記ガラスの下端側隅部にそれぞれ、掛止フックを有する支持金具を固定し、
ガラスに固定した前記支持金具の掛止フックを、方立に固定した前記自重受け部材に掛止させるようにしながら各ガラスを設置し、上下に隣接するガラスの間隙部には支持金具が存在しない構造としたことを特徴とするカーテンウォール構造におけるガラス支持構造。
【請求項２】
無目を有さずガラス自重を方立に固定した自重受け部材を介して支持させるようにしたカーテンウォール構造において、
前記ガラスの下端側隅部にそれぞれ、室内側に延在する掛止フックを有する支持金具を固定するとともに、前記方立側においてガラス面よりも室内側位置に前記掛止フックが掛止される自重受け部材を固定し、
ガラスに固定した前記支持金具の掛止フックを、方立に固定した前記自重受け部材に掛止させるようにしながら各ガラスを設置し、上下に隣接するガラスの間隙部には支持金具が存在しない構造としたことを特徴とするカーテンウォール構造におけるガラス支持構造。
【請求項３】
前記支持金具は、ガラスに固定される金具本体と、この金具本体から一体的に延在する前記掛止フックとからなり、前記金具本体は断面略コ字状部と、底面部とを有する形状を成し、前記断面略コ字状部及び底面部とによって形成される空間にガラス縁部が嵌め込まれることによりガラスに一体的に固定される請求項１、２いずれかに記載のカーテンウォール構造におけるガラス支持構造。
【請求項４】
前記ガラスの両側縁部はそれぞれ、方立の縦方向に沿って形成されたガラス嵌合溝内に嵌め込まれ、ガラス両側縁部の室外側及び室内側にそれぞれ嵌入された弾性パッキングにより支持されるとともに、その外部側にシールが施工され、水密・気密が確保されるようになっている請求項１〜３いずれかに記載のカーテンウォール構造におけるガラス支持構造。
【発明の詳細な説明】
【０００１】
【発明の属する技術分野】
本発明は、無目を有さず、ガラス自重を方立に固定した自重受け部材を介して支持させるようにしたカーテンウォール構造における前記ガラスの支持構造に関する。
【０００２】
【従来の技術】
従来より、ビル等の壁面を成すカーテンウォール構造において、開放感を演出するため無目を有さず、ガラスを方立のみによって支持するようにした構造が存在する。
【０００３】
このカーテンウォール構造は、具体的には図１１に示されるように、左右両側に夫々ガラス嵌合溝Ｍ、Ｍを有する方立５０を用い、この方立５０を水平方向に所定間隔で躯体等に固定するとともに、前記方立５０の部材長手方向の所定位置にガラス受け部材５１、５１を固定し、このガラス受け部材５１，５１にガラスＧ、Ｇの端部を支承させることによってガラスを支持するものである。上下方向に隣接するガラス間の目地部にはシールが充填され、気水密が確保されるようになっている。
【０００４】
上記カーテンウォール構造の場合、上下に隣接するガラス間の目地幅は美観上、極力小さい方が望ましいのは当然であるが、地震時に層間変位により各ガラスが同一方向に回転したとすると、ガラスの上部側隅部が前記ガラス受け部材５１に突き当たって破損するおそれがあるため、目地幅はある程度大きくせざるを得なかった。また、前記層間変位はガラス幅寸法が大きくなると比例的に大きくなるため、目地シールが開放感を阻害したり、目地シールの施工が困難になるなどの問題があった。
【０００５】
このような問題に対処するため下記特許文献１では、ガラス受け部材５１を取付け位置から下方側へは移動不能としながら上方側へは移動可能としたガラス支持構造が提案されている。このガラス支持構造の場合には、図１２（Ａ）の状態から層間変位を起こし、図１２（Ｂ）に示されるように、各ガラスが同一方向へ回転しガラスの上端隅部がガラス受け部材５１に衝突したとしても、ガラス受け部材５１が上方向に移動することによってガラスＧの破損が防止されることになる。
【０００６】
【特許文献１】
特開２０００−４５４３７号公報
【０００７】
【発明が解決しようとする課題】
しかしながら、前述したガラス支持構造の場合であっても、図１２に示されるように、上下に隣接するガラスＧ、Ｇの目地間にはガラス受け部材５１が存在することになるため、少なくともガラス受け部材５１の厚み寸法よりガラス目地幅を小さくすることができず、目地幅を小さくするにもおのずと限界があった。
【０００８】
さらに、側方に突出する前記ガラス受け部材５１を外部に露出させるわけには行かず、方立内に隠す必要があるため、方立の見付け幅寸法を小さくできないなどの問題もあった。
【０００９】
そこで本発明の主たる課題は、無目を有さずガラスの自重を方立に固定したガラス受け部材を介して支持させるようにしたカーテンウォール構造において、層間変位時にガラスの破損を防止するとともに、上下方向に隣接するガラス間の目地幅を方立、ガラスの温度ムーブメントを考慮した最小寸法にでき、かつ方立の見付け幅寸法を小さくできるガラス支持構造を提供することにある。
【００１０】
【課題を解決するための手段】
前記課題を解決するために請求項１に係る本発明として、無目を有さずガラス自重を方立に固定した自重受け部材を介して支持させるようにしたカーテンウォール構造において、
前記自重受け部材を、層間変位時にガラス上端部が衝突しない位置に固定するとともに、前記ガラスの下端側隅部にそれぞれ、掛止フックを有する支持金具を固定し、
ガラスに固定した前記支持金具の掛止フックを、方立に固定した前記自重受け部材に掛止させるようにしながら各ガラスを設置し、上下に隣接するガラスの間隙部には支持金具が存在しない構造としたことを特徴とするカーテンウォール構造におけるガラス支持構造が提供される。
【００１１】
請求項２に係る本発明として、無目を有さずガラス自重を方立に固定した自重受け部材を介して支持させるようにしたカーテンウォール構造において、
前記ガラスの下端側隅部にそれぞれ、室内側に延在する掛止フックを有する支持金具を固定するとともに、前記方立側においてガラス面よりも室内側位置に前記掛止フックが掛止される自重受け部材を固定し、
ガラスに固定した前記支持金具の掛止フックを、方立に固定した前記自重受け部材に掛止させるようにしながら各ガラスを設置し、上下に隣接するガラスの間隙部には支持金具が存在しない構造としたことを特徴とするカーテンウォール構造におけるガラス支持構造が提供される。
【００１２】
上記請求項１，２記載の本発明においては、従来のように、側方に突出させるようにして設けたガラス受け部材にガラス端部を直接支承させるのではなく、自重受け部材を、層間変位時にガラス上端部が衝突しない位置、例えばガラス面よりも室内側位置に自重受け部材を固定し、ガラスの下端側隅部にそれぞれ、掛止フックを有する支持金具を固定し、ガラスに固定した前記支持金具の掛止フックを、方立に固定した前記自重受け部材に掛止させるようにしながら各ガラスを設置し、上下に隣接するガラス間隙部には支持金具が存在しない構造とした。従って、ガラス間隙部には支持金具が存在しないため、上下方向に隣接するガラス間の目地幅を方立、ガラスの温度ムーブメントを考慮した最小寸法にできるとともに、層間変位時にガラスが一方側下端を中心として回転し、他方側上端が浮き上がったとしても、支持金具が存在しないためガラスの破損が防止されるようになる。また、前記ガラス受け部材はガラス面よりも室内側（裏面側）に配置されるため、方立の見付け幅寸法も小さくできるようになる。
【００１３】
請求項３に係る本発明として、前記支持金具は、ガラスに固定される金具本体と、この金具本体から一体的に延在する前記掛止フックとからなり、前記金具本体は断面略コ字状部と、底面部とを有する形状を成し、前記断面略コ字状部及び底面部とによって形成される空間にガラス縁部が嵌め込まれることによりガラスに一体的に固定される請求項１、２いずれかに記載のカーテンウォール構造におけるガラス支持構造が提供される。
【００１４】
請求項４に係る本発明として、前記ガラスの両側縁部はそれぞれ、方立の縦方向に沿って形成されたガラス嵌合溝内に嵌め込まれ、ガラス両側縁部の室外側及び室内側にそれぞれ嵌入された弾性パッキングにより支持されるとともに、その外部側にシールが施工され、水密・気密が確保されるようになっている請求項１〜３いずれかに記載のカーテンウォール構造におけるガラス支持構造が提供される。
【００１５】
【発明の実施の形態】
以下、本発明の実施の形態について図面を参照しながら詳述する。
図１は本発明に係るカーテンウォール構造１の外観図、図２は図１のＩＩ−ＩＩ線矢視図、図３は図１のＩＩＩ−ＩＩＩ線矢視図、図４は図２のＩＶ−ＩＶ線矢視図、図５は図２のＶ−Ｖ線矢視図である。
【００１６】
本カーテンウォール構造１は、図１に示されるように、水平方向の無目を有さず、ガラスＧ、Ｇ…の自重を方立２，２…に固定した自重受け部材を介して支持させるようにしたものであり、上下方向に隣接するガラスＧ、Ｇ間の目地にはシール１０が充填され気・水密が確保されるようになっている。
【００１７】
図２に示されるように、方立２は断面略方形状を成し隔壁２ａによって内部が仕切られた本体２Ａと、この本体２Ａの室外側面の両側部より側壁が室外側に延在することにより形成されたガラス保持片２ｂ、２ｃと、前記本体２Ａの室外側面の中央から室外側に延在するとともに、先端部に押縁係止片２ｅ、２ｅ…が形成された縦リブ２ｄとからなる部材である。前記押縁係止片２ｅ、２ｅにより押縁３，４が支持され、前記ガラス保持片２ｂ、２ｃとともに、ガラス嵌合溝Ｍ、Ｍが形成されるようになっている。
【００１８】
前記ガラス保持片２ｂ、２ｃと縦リブ２ｄとによって形成された空間内にはそれぞれ、自重受け部材５、５が方立２に固定されるようになっている。前記自重受け部材５は、図６にも示されるように、方立２に固定するための上部係止片５ａと、後述するガラス支持金具８の掛止フック８Ｂが掛止される自重受け片５ｂと、方立２に対する固定のためのボルト通孔５ｄを有する垂下片５ｃとからなる部材で、前記自重受け片５ｂには樹脂、ゴム等からなる緩衝材７が設置されている。
【００１９】
前記自重受け部材５は、図４に示されるように、方立２に形成された開口２ｆに対して前記上部係止片５ａを係止させた状態で取り付けられ、ボルト通孔５ｄより挿通されたボルト６によって方立２に堅固に固定されるようになっている。
【００２０】
一方、ガラスＧの下端側両隅部にはそれぞれ、ガラスＧを前記自重受け部材５、５に支持させるために支持金具８，８が固定されるようになっている。前記支持金具８は、図６に示されるように、ガラスＧに固定される金具本体８Ａと、この金具本体８Ａから一体的に延在する掛止フック部８Ｂとから構成されている。前記金具本体８Ａは平面視で表裏面壁８ａ、８ｂと側壁８ｃとにより形成される断面略コ字状部と、底面部８ｄとを有する形状を成し、前記断面略コ字状部及び底面部８ｄとによって形成される空間にガラス縁部が嵌め込まれることによりガラスＧに一体的に固定されるようになっている。なお、ガラスＧは前記ガラス嵌合部に直接嵌め込むことも可能であるが、図７に示されるように、ゴム材等からなる断面略コ字状の保護材９を中間に介するようにするのが望ましい。また、前記掛止フック８Ｂは、側壁８ｃと同面としながら室内側に延在して設けられ、下部側には段状の切欠き８ｅが形成されている。
【００２１】
ガラスＧの取付けは、図３に示される縦通しの室内側ゴムパッキング１２，１２をガラス保持片２ｂ、２ｃの先端に支持させた後、ガラスＧの両側縁部をガラス嵌合溝Ｍ、Ｍ内に嵌入させるとともに、図４に示されるように、ガラスＧに固定した前記支持金具８の掛止フック８Ｂを、方立２に固定した前記自重受け部材５に掛止させるようにしながら各ガラスＧを設置する。
【００２２】
ガラスＧの設置を完了したならば、図３に示されるように、ガラスＧの嵌合溝Ｍ、Ｍ内において、ガラスＧの室外側面に縦方向通しの室外側ゴムパッキング１１，１１を嵌入し、ガラスＧを支持した後、その外部にシール１３，１３を施工する。
【００２３】
以上のように、本カーテンウォール構造１では、上下に隣接するガラスＧ、Ｇの間隙部空間には支持金具が存在しない構造となっている。従って、ガラスＧ、Ｇが同一回転方向に回転する層間変位を起こした場合であっても、ガラスＧの上側には従来のように支持金具が存在しないため、ガラスＧが破損する事態を回避できるようになるとともに、上下方向に隣接するガラスＧ、Ｇの目地幅を最小化できるようになる。なお、ガラスＧの目地幅は方立材とガラスの温度ムーブメントの差によりシール幅設計されるが、ガラス厚と同等寸法、具体的には１５〜２０ｍｍ程度とするのが望ましい。また、層間変位によるガラスＧの変位は、各ガラスＧ、Ｇ…が同一回転方向に回転するものであるため、例えば図１０に示されるように、ガラスＧの右側下端を回転中心として各ガラスＧ、Ｇ…が回転変位した場合、ガラスＧの左側上端が上方に移動したとしても、上段側ガラスも同様の回転変位を起こしているため、ガラスＧの左側上端が上段側ガラスＧに強く接触することはない。
【００２４】
〔その他の形態例〕
（１）上記形態例では、ガラス支持金具８の掛止フック８Ｂを室内側に延在させたが要は層間変位時にガラス上端部が衝突しない位置に固定すればよいため、室外側に延在させても良い。この場合は、自重受け部材をガラス面よりも室外側に固定されることになる。
【００２５】
（２）上記形態例において、ガラスＧは単層ガラス構造としたが、図８及び図９に示されるように複層ガラス構造であっても全く同様に適用することが可能である。なお、図中、同部材に同符号を付し説明は省略する。
【００２６】
（３）上記形態例では、壁面がガラスによって構成されるカーテンウォール構造であるが、金属パネル、樹脂パネル等を含むパネル一般に対して適用が可能である。
【００２７】
【発明の効果】
以上詳説のとおり本発明によれば、無目を有さずガラスの自重を方立に固定したガラス受け部材を介して支持させるようにしたカーテンウォール構造において、層間変位時にガラスの破損を防止するとともに、上下方向に隣接するガラス間の目地幅を方立、ガラスの温度ムーブメントを考慮した最小寸法にでき、かつ方立の見付け幅寸法を小さくできるようになる。
【図面の簡単な説明】
【図１】本発明に係るカーテンウォール構造１の外観図である。
【図２】図２は図１のＩＩ−ＩＩ線矢視図である。
【図３】図３は図１のＩＩＩ−ＩＩＩ線矢視図である。
【図４】図４は図２のＩＶ−ＩＶ線矢視図である。
【図５】図５は図２のＶ−Ｖ線矢視図である。
【図６】支持金具８の取付け状態およびガラス受け部材５を示す斜視図である。
【図７】支持金具８の取付け状態を示すガラスＧの要部横断面図である。
【図８】複層ガラスとした場合のガラス取付け状態を示す縦断面図である。
【図９】複層ガラスとした場合の支持金具８の取付け状態およびガラス受け部材５を示す斜視図である。
【図１０】層間変位時のガラス挙動図である。
【図１１】従来の無目を有しないガラス支持構造を示す方立横断面図である。
【図１２】特許文献１に示されるガラス支持構造の層間変位時のガラス挙動を示す図である。
【符号の説明】
１…カーテンウォール構造、２…方立、３・４…押縁、５…自重受け部材、７…緩衝材、８…支持金具、８Ａ…金具本体、８Ｂ…掛止フック、９…保護材、１０…シール（水平目地）、１１…室外側ゴムパッキング、１２…室内側ゴムパッキング、Ｍ…ガラス嵌合溝、Ｇ…ガラス
【図１】
2005002694.tif 000003
【図２】
2005002694.tif 000004
【図３】
2005002694.tif 000005
【図４】
2005002694.tif 000006
【図５】
2005002694.tif 000007
【図６】
2005002694.tif 000008
【図７】
2005002694.tif 000009
【図８】
2005002694.tif 000010
【図９】
2005002694.tif 000011
【図１０】
2005002694.tif 000012
【図１１】
2005002694.tif 000013
【図１２】
2005002694.tif 000014